(57)【要約】【課題】電気的な信頼性を向上させるための駆動ＩＣおよびこのような駆動ＩＣを有するディスプレイ装置を提供する。【解決手段】複数個の列のうち、第１列に配列された電極端子は、所定の間隔で離間して配置され、第１列に隣接した第２列に配列された電極端子は、それぞれ第１列に配列された配列方向に隣接する電極端子間に対応する配列方向位置に配置され、バンプは第１方向と直交する第２方向に所定の長さを有し、第２列に配列されたバンプは第１列に配列されたバンプから所定の長さの半分以上の距離離間して配置される。【選択図】図１５
2011100126.tif 000002
【特許請求の範囲】
【請求項１】
異方性導電性フィルムを利用して表示パネルとの電気的接続をする駆動ＩＣであって、
第１エッジライン、前記第１エッジラインに対して垂直である第２エッジライン、前記第２エッジラインと対向する第３エッジライン及び前記第１エッジラインと対向する第４エッジラインを含む半導体基板と、
前記第１エッジラインと近接して配列される入力ライン用電極端子と、前記第２〜第４エッジラインに近接して複数の列を形成して配列されるゲート及びデータライン用電極端子を含む電極端子と、
前記電極端子上に設けられるバンプと、
を含み、前記複数個の列のうち、第１列に配列された前記電極端子は、所定の間隔で離間して配置され、前記第１列に隣接した第２列に配列された前記電極端子は、それぞれ前記第１列に配列された配列方向に隣接する電極端子間に対応する配列方向位置に配置され、前記バンプは前記第１方向と直交する第２方向に所定の長さを有し、前記第２列に配列されたバンプは前記第１列に配列されたバンプから前記所定の長さの半分以上の距離離間して配置されることを特徴とする駆動ＩＣ。
【請求項２】
前記バンプは、前記第１方向と直交する第２方向に所定の長さを有し、前記第２列に配列されたバンプは、前記第１列に配列されたバンプから前記所定の長さの半分以上の距離離間して配置されることを特徴とする請求項１記載の駆動ＩＣ。
【請求項３】
前記バンプは、前記バンプの上側より見る時、長方形状であることを特徴とする請求項２記載の駆動ＩＣ。
【請求項４】
前記長方形の角のうち、少なくとも１つの角が面取りされたことを特徴とする請求項３記載の駆動ＩＣ。
【請求項５】
前記長方形の角のうち、少なくとも１つの角が円弧状に形成されたことを特徴とする請求項３記載の駆動ＩＣ。
【請求項６】
ゲートライン及び前記ゲートラインと直交するデータラインを備え複数の画素が形成された表示領域と、前記表示装置の縁に設けられ前記ゲートライン及び前記データラインから延長された電極パッドが形成された周辺領域とを備える表示パネルと、
異方性導電性フィルムを利用して表示パネルの前記電極パッドと電気的接続をする駆動ＩＣを含み、
前記駆動ＩＣは、
第１エッジライン、前記第１エッジラインに対して垂直である第２エッジライン、前記第２エッジラインと対向する第３エッジライン及び前記第１エッジラインと対向する第４エッジラインを含む半導体基板と、
前記第１エッジラインと近接して配列される入力ライン用電極端子と、前記第２〜第４エッジラインに近接して複数の列を形成して配列されるゲート及びデータラインライン用電極端子を含む電極端子と、
前記電極端子上に設けられるバンプを有し、
前記複数個の列のうち、第１列に配列された前記電極端子は、所定間隔で離間して配置され、前記第１列に隣接した第２列に配列された前記電極端子は、それぞれ前記第１列に配列された配列方向に隣接する電極端子間に対応する配列方向位置に配置される駆動ＩＣを含み、前記駆動ＩＣと前記表示パネルは異方性導電性フィルムによって電気的に接続され、前記バンプは前記第１方向と直交する第２方向に所定の長さを有し、前記第２列に配列されたバンプは前記第１列に配列されたバンプから前記所定の長さの半分以上の距離離間して配置されることを特徴とするディスプレイ装置。
【請求項７】
前記電極パッドは、前記バンプに対応して前記周辺領域に前記第１方向に沿って複数の列を形成して配列され、
前記複数個の列のうち、第１列に配列された前記電極パッドは、所定間隔で離間して配置され、前記第１列に隣接した第２列に配列された前記電極パッドは、前記第１列に配列された前記電極パッドと隣接した電極パッドとの離隔空間に対応して配置されることを特徴とする請求項６記載のディスプレイ装置。
【請求項８】
前記バンプは、前記第１方向と直交する第２方向に所定の長さを有し、前記第２列に配列されたバンプは、前記第１列に配列されたバンプから前記長さの半分以上の距離離間して配置されることを特徴とする請求項６記載のディスプレイ装置。
【請求項９】
前記バンプは、上側より見る時、長方形状であることを特徴とする請求項８記載のディスプレイ装置。
【請求項１０】
前記長方形の角のうち、少なくとも１つの角が面取りされたことを特徴とする請求項９記載のディスプレイ装置。
【請求項１１】
前記長方形の角のうち、少なくとも１つの角が円弧状に形成されたことを特徴とする請求項９記載のディスプレイ装置。
【請求項１２】
前記駆動ＩＣと前記表示パネルは、異方性導電フィルムによって電気的に連結されることを特徴とする請求項６記載のディスプレイ装置。
【請求項１３】
前記表示パネルは、液晶を駆動して映像を表示する液晶パネルであることを特徴とする請求項６記載のディスプレイ装置。
【発明の詳細な説明】
【技術分野】
【０００１】
本発明は駆動ＩＣ及びこれを具備したディスプレイ装置に関し、より詳細には電気的信頼性を向上させるための駆動ＩＣ及びこれを具備したディスプレイ装置に関するものである。
【背景技術】
【０００２】
最近、移動通信端末機、デジタルカメラ、ノートパソコンのような電子機器には映像を表示するための映像表示装置が具備される。前記映像表示装置として多様な種類のものを使用することができる。代表的な映像表示装置として平板形状を有するディスプレイ装置が主に用いられ、平板ディスプレイ装置のうちでも特に液晶表示装置が広く用いられる。
【０００３】
一般に液晶表示装置は、液晶パネルに駆動ＩＣを実装することにより形成される。特に、移動通信端末機には、装置の特性を考慮して低電力、小型の液晶表示装置が用いられる。
【０００４】
小型の液晶表示装置は、１つの駆動ＩＣ（Ｉｎｔｅｇｒａｔｅｄ Ｃｉｒｃｕｉｔ）、所謂１チップＩＣを用いて駆動することが一般的である。最近は、液晶パネル自体に駆動ＩＣを直接実装する方式、即ち、チップオンガラス（Ｃｈｉｐ Ｏｎ Ｇｌａｓｓ方式；以下、ＣＯＧ）方式の液晶表示装置が広範囲に用いられている。
【０００５】
前記ＣＯＧ方式の液晶表示装置では、前記液晶パネル上に形成された多数の電極パッド上に導電ボールを有する樹脂（ｒｅｓｉｎ）からなる異方性導電フィルム（Ａｎｉｓｏｔｒｏｐｉｃ Ｃｏｎｄｕｃｔｉｖｅ Ｆｉｌｍ；以下、ＡＣＦ）を位置させて、前記駆動ＩＣを前記電極パッドに圧着する。この際、前記駆動ＩＣの底面に設けられたバンプは、前記導電ボールを介して前記電極パッドと電気的に連結される。
【０００６】
前記駆動ＩＣの実装過程において、前記ＡＣＦは前記駆動ＩＣの圧着により前記駆動ＩＣの外側に押し出される。しかし、前記導電ボールは、前記樹脂に沿って前記駆動ＩＣの外側に移動しながら、前記駆動ＩＣに設けられた多数のバンプにかかり、前記バンプの周辺に積載される。
【０００７】
このため、導電ボールが積載されたバンプは、隣接したバンプと短絡（ｓｈｏｒｔ）するおそれがある。また、樹脂が不足する場合には、バンプと導電ボールとの接着力が低下して駆動ＩＣと電極パッドとの電気的な接続が開放状態（ｏｐｅｎ）になるおそれがある。
【発明の概要】
【発明が解決しようとする課題】
【０００８】
本発明の第１目的は、電気的な信頼性を向上させるための駆動ＩＣを提供することにある。
【０００９】
本発明の第２目的は、前述したような駆動ＩＣを有するディスプレイ装置を提供することにある。
【課題を解決するための手段】
【００１０】
本発明に係る駆動ＩＣは、異方性導電性フィルムを利用して表示パネルとの電気的接続をする駆動ＩＣであって、第１エッジライン、前記第１エッジラインに対して垂直である第２エッジライン、前記第２エッジラインと対向する第３エッジライン及び前記第１エッジラインと対向する第４エッジラインを含む半導体基板と、前記第１エッジラインと近接して配列される入力ライン用電極端子と、前記第２〜第４エッジラインに近接して複数の列を形成して配列されるゲート及びデータライン用電極端子を含む電極端子と、前記電極端子上に設けられるバンプとを含み、前記複数個の列のうち、第１列に配列された前記電極端子は、所定の間隔で離間して配置され、前記第１列に隣接した第２列に配列された前記電極端子は、それぞれ前記第１列に配列された配列方向に隣接する電極端子間に対応する配列方向位置に配置され、前記バンプは前記第１方向と直交する第２方向に所定の長さを有し、前記第２列に配列されたバンプは前記第１列に配列されたバンプから前記所定の長さの半分以上の距離離間して配置されることを特徴とする。
【００１１】
また、本発明に係るディスプレイ装置は、ゲートライン及び前記ゲートラインと直交するデータラインを備え複数の画素が形成された表示領域と、前記表示装置の縁に設けられ前記ゲートライン及び前記データラインから延長された電極パッドが形成された周辺領域とを備える表示パネルと、異方性導電性フィルムを利用して表示パネルの前記電極パッドと電気的接続をする駆動ＩＣを含み、前記駆動ＩＣは、第１エッジライン、前記第１エッジラインに対して垂直である第２エッジライン、前記第２エッジラインと対向する第３エッジライン及び前記第１エッジラインと対向する第４エッジラインを含む半導体基板と、
前記第１エッジラインと近接して配列される入力ライン用電極端子と、前記第２〜第４エッジラインに近接して複数の列を形成して配列されるゲート及びデータラインライン用電極端子を含む電極端子と、前記電極端子上に設けられるバンプを有し、前記複数個の列のうち、第１列に配列された前記電極端子は、所定間隔で離間して配置され、前記第１列に隣接した第２列に配列された前記電極端子は、それぞれ前記第１列に配列された配列方向に隣接する電極端子間に対応する配列方向位置に配置される駆動ＩＣを含み、前記駆動ＩＣと前記表示パネルは異方性導電性フィルムによって電気的に接続され、前記バンプは前記第１方向と直交する第２方向に所定の長さを有し、前記第２列に配列されたバンプは前記第１列に配列されたバンプから前記所定の長さの半分以上の距離離間して配置されることを特徴とする。
【図面の簡単な説明】
【００１２】
【図１】図１は、本発明の一実施例に係る駆動ＩＣを有する液晶表示装置の平面図である。
【図２】図２は、図１に示される駆動ＩＣの底面図である。
【図３】図３、図２に示される駆動ＩＣの断面図である。
【図４】図４は、図２に示される駆動ＩＣの断面図である。
【図５】図５は、図２に示される駆動ＩＣが実装された液晶パネルの周辺領域を示した部分拡大図である。
【図６】図６は、図１に示される液晶表示装置の断面図である。
【図７】図７は、図１に示される液晶表示装置の断面図である。
【図８】図８は、図２に示される駆動ＩＣのバンプによるエネルギー損失を説明するための部分拡大図である。
【図９】図９は、本発明の１実施例に係る駆動ＩＣの多様なバンプ形状を説明するための部分拡大図である。
【図１０】図１０は、本発明の１実施例に係る駆動ＩＣの多様なバンプ形状を説明するための部分拡大図である。
【図１１】図１１は、本発明の１実施例に係る駆動ＩＣの多様なバンプ形状を説明するための部分拡大図である。
【図１２】図１２は、本発明の１実施例に係る駆動ＩＣの多様なバンプ形状を説明するための部分拡大図である。
【図１３】図１３は、本発明の１実施例に係る駆動ＩＣの多様なバンプ形状を説明するための部分拡大図である。
【図１４】図１４は、本発明の１実施例に係る駆動ＩＣの多様なバンプ形状を説明するための部分拡大図である。
【図１５】図１５は、本発明の他の実施例に係る駆動ＩＣの底面図である。
【図１６】図１６は、図１５に示される駆動ＩＣが実装された液晶パネルの周辺領域の部分拡大図である。
【図１７】図１７は、図１５に示される駆動ＩＣのバンプ配列による効果を説明するための部分拡大図である。
【図１８】図１８は、本発明の他の実施例に係る駆動ＩＣの多様なバンプ形状を説明するための部分拡大図である。
【図１９】図１９は、本発明の他の実施例に係る駆動ＩＣの多様なバンプ形状を説明するための部分拡大図である。
【図２０】図２０は、本発明の他の実施例に係る駆動ＩＣの底面図である。
【図２１】図２１は、図２０に示される駆動ＩＣが実装された液晶パネルの周辺領域の部分拡大図である。
【発明を実施するための形態】
【００１３】
本発明の望ましい実施例において、駆動ＩＣ及びこれを具備するディスプレイ装置を説明するために、多様なディスプレイ装置のうち、液晶表示装置を一例として説明する。
【００１４】
図１は、本発明の１実施例に係る駆動ＩＣを有する液晶表示装置の平面図である。
【００１５】
図１に示すように、液晶表示装置１０００は、駆動ＩＣ１００と、駆動ＩＣ１００が実装される液晶パネル２００とを含む。
【００１６】
液晶パネル２００は、薄膜トランジスタ基板３００、薄膜トランジスタ基板３００と対向して結合されるカラーフィルター基板４００及び薄膜トランジスタ基板３００とカラーフィルター基板４００との間に充填される液晶層（図示せず）を含む。
【００１７】
液晶パネル２００のエッジには、シーラント（ｓｅａｌａｎｔ）６００が設けられ、このシーラント６００は薄膜トランジスタ基板３００とカラーフィルター基板４００とを結合させ、薄膜トランジスタ基板３００とカラーフィルター基板４００との間に注入された液晶層の漏出を防止する。
【００１８】
一方、液晶パネル２００は、薄膜トランジスタ基板３００とカラーフィルター基板４００とがオーバーラップして所定の映像を表示する画素領域ＤＡと、画素領域ＤＡを駆動するための駆動ＩＣ１００を備える周辺領域ＳＡとで構成される。
【００１９】
画素領域ＤＡに対応する薄膜トランジスタ基板３００には、ゲートライン３２０とデータライン３３０とが直交するように設けられる。
【００２０】
周辺領域ＳＡには、外部から所定の信号が印加される入力ライン３１０、画素領域ＤＡから延長されたゲートライン３２０及びデータライン３３０が駆動ＩＣ１００と電気的に接続されている。
【００２１】
図示していないが、周辺領域ＳＡには多数の駆動ＩＣを設けることができる。この場合、それぞれの駆動ＩＣは対応する一定のゲートライン及びデータラインとそれぞれ電気的に連結するものとする。
【００２２】
図２は図１に図示された駆動ＩＣの底面図であり、図３は図２に図示されたIII-III'による駆動ＩＣの断面図であり、図４は図２に図示されたIV-IV'による駆動ＩＣの断面図である。
【００２３】
図２〜図４に示すように、駆動ＩＣ１００は、半導体基板の底面に形成された多数の電極端子ＥI,ＥG,ＥDと、電極端子ＥI,ＥG,ＥD上にそれぞれ形成された多数のバンプＢI,ＢG,ＢDとを具備する。より詳細には、駆動ＩＣ１００の底面、即ち図１に図示された液晶パネル２００と対向する面には多数個の入力ライン用電極端子ＥI、ゲートライン用電極端子ＥG、及びデータライン用電極端子ＥDが設けられ、入力ライン用電極端子ＥI、ゲートライン用電極端子ＥG、及びデータライン用電極端子ＥD上には、それぞれ入力ライン用バンプＢI、ゲートライン用バンプＢG、及びデータライン用バンプＢDが設けられている。
【００２４】
入力ライン用バンプＢIは、駆動ＩＣ１００の底面の第１エッジ１００ａに沿って配列され、ゲートライン用バンプＢGは、第１エッジ１００ａの両端、即ち第２エッジ１００ｂ及び第３エッジ１００ｃに沿って配列され、データライン用バンプＢDは、第１エッジ１００ａと対向する第４エッジ１００ｄに沿って配列される。
【００２５】
ゲートライン用バンプＢGは、第２エッジ１００ｂ及び第３エッジ１００ｃに沿ってそれぞれ２つの列を形成して配列される。互いに異なる列に配列され、互いに隣接したゲートライン用バンプＢGは、第２エッジ１００ｂ及び第３エッジ１００ｃで駆動ＩＣ１００の長さ方向に並んで配列される。データライン用バンプＢDは、第４エッジ１００ｄに沿って２つの列を形成して配列され、ゲートライン用バンプＢGと同様に互いに異なる列に設けられ、互いに隣接したデータライン用バンプＢDは、第４エッジ１００ｄにおいて駆動ＩＣ１００の幅方向に並んで配列される。
【００２６】
図２に示した駆動ＩＣ１００のゲートライン用バンプＢG及びデータライン用バンプＢDは、２つの列を形成して配列されているが、場合によっては、ゲートライン用バンプＢG及びデータライン用バンプＢDは、それぞれ３つまたはそれ以上の列を形成して配列することができる。また、入力ライン用バンプＢI、ゲートライン用バンプＢG及びデータライン用バンプＢDの個数は、例示したものより増加することもでき、または減少することもできる。
【００２７】
図５は、図２に図示された駆動ＩＣが実装された液晶パネルの周辺領域の部分拡大図である。
【００２８】
図５に示すように、液晶パネル２００の周辺領域ＳＡには、図２に図示された駆動ＩＣ１００を実装するための実装領域ＭＡが設けられる。
【００２９】
実装領域ＭＡ内には、複数個の入力ライン電極パッド３１０ａ、ゲートライン電極パッド３２０ａ及びデータライン電極パッド３３０ａが設けられている。
【００３０】
入力ライン電極パッド３１０ａは、外部から所定の信号が印加される入力ライン３１０の一端に設けられ、ゲートライン電極パッド３２０ａは、画素領域ＤＡから延長されたゲートライン３２０の一端に設けられ、データライン電極パッド３３０ａは、画素領域ＤＡから延長されたデータライン３３０の一端に設けられる。
【００３１】
ゲートライン電極パッド３２０ａの幅は、ゲートライン３２０の幅より広く、多数個のゲートライン電極パッド３２０ａを実装領域ＭＡ内に配置するためには、ゲートライン電極パッド３２０ａが複数個の列を形成するように配列する必要がある。
【００３２】
ここで、ゲートライン電極パッド３２０ａは、図２に図示された駆動ＩＣ１００のゲートライン用バンプＢGに対応しており、ゲートライン用バンプＢGと対応する位置に配列される。即ち、ゲートライン電極パッド３２０ａは、２つの列を形成して配列され、互いに隣接して異なる列に配列されるゲートライン電極パッド３２０ａは、実装領域ＭＡの長さ方向に並んで配置される。
【００３３】
また、データライン電極パッド３３０ａは、図２に図示された駆動ＩＣ１００のデータライン用バンプＢDに対応しており、データライン用バンプＢDと対応する位置に配列される。即ち、データライン電極パッド３３０ａは、２つの列を形成して配列され、互いに隣接して異なる列に配列されるデータライン電極パッド３２０ａは、実装領域ＭＡの幅方向に並んで配置される。
【００３４】
従って、液晶パネル２００の実装領域ＭＡに設けられた入力ライン電極パッド３１０ａ、ゲートライン電極パッド３２０ａ及びデータライン電極パッド３３０ａは、それぞれ駆動ＩＣ１００に設けられた入力ライン用バンプＢI、ゲートライン用バンプＢG、及びデータライン用バンプＢDとそれぞれ対応して電気的に連結される。
【００３５】
図６は図１に図示されたI-I'による液晶表示装置の断面図であり、図７は図１に示されたII-II'による液晶表示装置の断面図である。
【００３６】
図６及び図７に示すように、液晶表示装置１０００は、画素領域ＤＡと周辺領域ＳＡとで構成される液晶パネル２００及び固定部材７００により液晶パネル２００の周辺領域ＳＡに実装された駆動ＩＣ１００を含む。
【００３７】
駆動ＩＣ１００は、固定部材７００によって液晶パネル２００の周辺領域ＳＡに具備された入力ライン電極パッド３１０ａ、ゲートライン電極パッド３２０ａ及びデータライン電極パッド３３０ａと電気的に連結される。
【００３８】
固定部材７００としては、異方性導電フィルム（Ａｎｉｓｏｔｒｏｐｉｃ Ｃｏｎｄｕｃｔｉｖｅ Ｆｉｌｍ；以下、ＡＣＦという）、非導電性フィルム（Ｎｏｎ−Ｃｏｎｄｕｃｔｉｖｅ Ｆｉｌｍ）または半田（Ｓｏｌｄｅｒ）を使用することができる。本発明の望ましい１実施例において、ＡＣＦを用いた場合を一例として説明し、ＡＣＦに図面番号７００を付ける。
【００３９】
ＡＣＦ７００は、導電ボール７１０と、導電ボール７１０と混合される樹脂７２０とで構成され、駆動ＩＣ１００と液晶パネル２００との間に設けられる。導電ボール７１０は、駆動ＩＣ１００と液晶パネル２００を電気的に接続し、樹脂７２０は電気的に接続された駆動ＩＣ１００と液晶パネル２００とを固定する役割を果たす。
【００４０】
以下では、駆動ＩＣ１００が液晶パネル２００に実装される過程を説明する。
【００４１】
液晶パネル２００の入力ライン電極パッド３１０ａ、ゲートライン電極パッド３２０ａ及びデータライン電極パッド３３０ａ上にＡＣＦ７００を塗布する。
【００４２】
以後、駆動ＩＣ１００の入力ライン用バンプＢI、ゲートライン用バンプＢG及びデータライン用バンプＢDが、それぞれ入力ライン電極パッド３１０ａ、ゲートライン電極パッド３２０ａ及びデータライン電極パッド３３０ａと対応するように駆動ＩＣ１００を周辺領域ＳＡ上に圧着する。
【００４３】
この際、駆動ＩＣ１００の入力ライン用バンプＢI、ゲートライン用バンプＢG及びデータライン用バンプＢDは、それぞれ導電ボール７１０を圧着して入力ライン電極パッド３１０ａ、ゲートライン電極パッド３２０ａ及びデータライン電極パッド３３０ａと電気的に連結される。
【００４４】
一方、樹脂７２０は、駆動ＩＣ１００の圧着過程で発生する高い温度により粘性が減少する。粘性が減少した樹脂７２０は、駆動ＩＣ１００と液晶パネル２００との間に圧着されない導電ボール７１０とともに駆動ＩＣ１００の外側に押し出されて徐々に硬化される。このため、駆動ＩＣ１００が液晶パネル２００の周辺領域に実装される。
【００４５】
図８は、図２に図示された駆動ＩＣのバンプによるエネルギーの損失を説明するための部分拡大図である。
【００４６】
ここで、図８に図示されたバンプは、図２に図示されたゲートライン用バンプＢGまたはデータライン用バンプＢDである。
【００４７】
図８に示すように、駆動ＩＣ１００のバンプＢは、２つの列を形成して配列され、互いに隣接して異なる列に配列されるバンプＢは、バンプＢの配列方向と垂直方向に並んで位置する。
【００４８】
バンプＢは、所定の高さ（図示せず）Ｈ及び第１長さＬ1を有し、同一の列に配列され、互いに隣接するバンプＢは第１間隔Ｗ1だけ離間して配置される。
【００４９】
図６及び図７に示されるように、駆動ＩＣ１００を、ＡＣＦ７００を用いて液晶パネル２００に実装する時、駆動ＩＣ１００の圧着によりＡＣＦ７００は駆動ＩＣ１００の外側に流動する。
【００５０】
ＡＣＦ７００が駆動ＩＣ１００の外側に流動する時、バンプＢにより発生する単位質量当たり摩擦損失エネルギーＥfを考慮するために検査領域ＣＡを設定する。
【００５１】
検査領域ＣＡは、互いに隣接して配列された４つのバンプＢが形成する空間として、２つの入口Ｅｎと２つの出口Ｅｘを有する。
【００５２】
Ｅf＝２(Ｌ/Ｄe)Ｖ２ｆ＋１/２ｅflＶ２＋１/２ｅf2Ｖ２・・・（式１）
式１は、長方形ダクトで流体の摩擦損失（ｆｒｉｃｔｉｏｎ ｌｏｓｓ）を求めるための方程式である。液晶パネル２００に実装された駆動ＩＣ１００のバンプＢが形成する空間を長方形ダクトでモデリング（ｍｏｄｅｌｉｎｇ）すると、下記の式２が得られる。
Ｅf＝２(Ｌ/Ｄe)Ｖ２ｆ＋２＊１/２ｅflＶ２＋２＊１/２ｅf2Ｖ２・・・（式２）
ここで、ＥfはＡＣＦ７００の単位質量当たりの摩擦損失エネルギーであり、ＬはバンプＢの第１長さＬ1、Ｄeは等価直径（Ｅｑｕｉｖａｌｅｎｔ Ｄｉａｍｅｔｅｒ）、Ｖは検査領域ＣＡ内で流動するＡＣＦ７００の平均流速、ｆは摩擦因子（ｆｒｉｃｔｉｏｎ ｆａｃｔｏｒ）、ｅf1は検査領域ＣＡの入口Ｅｎで発生する入口損失に関する係数（ｅｎｔｒａｎｃｅ ｌｏｓｓ ｃｏｅｆｆｉｃｉｅｎｔ）、ｅf2は検査領域ＣＡの出口Ｅｘで発生する出口損失に関する係数（ｅｘｉｔ ｌｏｓｓ ｃｏｅｆｆｉｃｉｅｎｔ）である。
【００５３】
検査領域ＣＡは、２つの入口Ｅｎと２つの出口Ｅｘとを有するので、入口Ｅｎ及び出口Ｅｘで発生する損失は式１として表現された損失の２倍になる。
【００５４】
バンプＢの配列方向に形成された前記検査領域ＣＡの他の出口で発生する損失は大きくないので、無視することにする。
【００５５】
一方、等価直径Ｄeは下記の式３により求めることができる。
【００５６】
Ｄｅ＝(４＊断面積)/周辺長さ＝４＊(Ｗ1＊２Ｌ)/２＊(Ｗ1＋Ｈ)・・・（式３）
ここで、ＬはバンプＢの第１長さＬ1、Ｗ1は同一の列に配列され互いに隣接するバンプＢの間隔、ＨはバンプＢの高さを意味する。
【００５７】
従って、式２と式３を利用してバンプＢにより形成された空間を流動するＡＣＦ７００の摩擦損失エネルギーを計算することができる。
【００５８】
図９〜図１４は、本発明の１実施例に係る駆動ＩＣの多様なバンプ形状を説明するための部分拡大図である。
【００５９】
図９〜図１４に示すように、バンプＢは、図８を参照して説明した式２に表現された入口Ｅｎ及び出口Ｅｘで発生する摩擦損失エネルギーを減少させるために多様な形状を有する。
【００６０】
図９に示された駆動ＩＣ１００は、式２に表現されたような入口Ｅｎでの摩擦損失エネルギーを減少させるために入口Ｅｎを形成するバンプＢの角が面取りされている。
【００６１】
例えば、入口Ｅｎを形成するバンプＢの面取り角度（θ）が４５度であり、この面取りにより広がっている入口Ｅｎの深さが隣接するバンプＢ間の間隔ｄの半分（ｄ／２）である時、図９に図示された駆動ＩＣ１００の入口損失に関する係数は、式２に表現された入口損失に関する係数（ｅf1）の１／６になって、摩擦により損失されるエネルギーが減少する。
【００６２】
図１０に示される駆動ＩＣ１００のバンプＢは、入口Ｅｎ及び出口Ｅｘを形成するバンプＢの角が面取りされている。図１０に示される駆動ＩＣ１００の入口及び出口損失に関する係数は、式２に表現された入口及び出口損失に関する係数（ｅf1、ｅf2）より小さい値を有する。
【００６３】
図１１に示される駆動ＩＣ１００は、入口Ｅｎで発生する摩擦損失エネルギーを減少させるために入口Ｅｎを形成する角がラウンディングされている（バンプＢの上部が円弧状に形成されている）。
【００６４】
例えば、円弧状に形成された角の曲率半径ｒと同一の列に配列され隣接したバンプＢ間の間隔ｄとの関係が、ｒ／ｄ＝０.１を満足する場合、駆動ＩＣ１００の入口損失に関する係数は、式２に表現された入口損失に関する係数ｅf1の１／３になって、摩擦により損失されるエネルギーが減少する。
【００６５】
図１２に示される駆動ＩＣ１００は、入口Ｅｎ及び出口Ｅｘを形成する角が円弧状に形成されたバンプＢを備えるので、入口及び出口損失に関する係数は、式２に表現された入口及び出口損失に関する係数（ｅf1、ｅf2）より小さい値を有する。
【００６６】
また、図１３及び図１４に示される駆動ＩＣ１００のバンプＢがバンプＢの上側から見る時、楕円または六角形形状を有するので、入口及び出口損失に関する係数が、式２に表現された入口及び出口損失に関する係数（ｅf1、ｅf2）より小さい値を有する。
【００６７】
図示していないが、バンプＢの形状は入口及び出口損失に関する係数（ｅf1、ｅf2）を減少させるために、前述した形状以外にバンプＢの上側から見る時、円、五角形、八角形などの多様な形状にすることができる。
【００６８】
図９及び図１１に示されるバンプＢの入口損失に関する係数は、材料移動現象（Ｔｒａｎｓｐｏｒｔ Ｐｈｅｎｏｍｅｎａ ｉｎ Ｍａｔｅｒｉａｌ Ｐｒｏｃｅｓｓｉｎｇ、著者：Ｄ.Ｒ ＰｏｉｒｉｅｒとＧ.Ｈ Ｇｅｉｇｅｒ、１９９４）に記述されている。
【００６９】
図１５は、本発明の他の実施例に係る駆動ＩＣの底面図である。
【００７０】
図１５に示すように、駆動ＩＣ１００の底面、即ち液晶パネルと対向する面には、多数の電極端子（図示せず）が設けられ、電極端子上には入力ライン用バンプＢI、ゲートライン用バンプＢG、及びデータライン用バンプＢDが設けられている。
【００７１】
入力ライン用バンプＢIは、駆動ＩＣ１００の底面の第１エッジ１００ａに沿って配列される。
【００７２】
ゲートライン用バンプＢGは、駆動ＩＣ１００の第１エッジ１００ａの両端である第２エッジ１００ｂ及び第３エッジ１００ｃに沿ってそれぞれ２つの列を形成して配列され、互いに異なる列に配列されたゲートライン用バンプＢGは、第２間隔Ｗ2だけ離間して配置されている。ここで、第２間隔Ｗ2は、２つの列の間の間隔を十分に確保するためにゲートライン用バンプＢGの長さの半分以上とする。
【００７３】
また、２つの列のうち、第１列に沿って配列されたゲートライン用バンプＢGは、第２列に沿って配列されたゲートライン用バンプＢGの離隔空間に対応して設けられる。
【００７４】
一方、データライン用バンプＢDは、第１エッジ１００ａと対向する第４エッジ１００ｄに沿って２つの列を形成して配列され、互いに異なる列に配列されたデータライン用バンプＢDは、第３間隔Ｗ3だけ離間して配置される。ここで、第３間隔Ｗ3は、２つの列の間の間隔を十分に確保するために、データライン用バンプＢDの長さの半分以上とする。
【００７５】
また、２つの列のうち、第１列に沿って配列されたデータライン用バンプＢDは、第２列に沿って配列されたデータライン用バンプＢDの離隔空間に対応して設けられる。
【００７６】
図１５に図示された駆動ＩＣ１００のゲートライン用バンプＢG及びデータライン用バンプＢDは、それぞれ２つの列を形成して配列されているが、場合によってはゲートライン用バンプＢG及びデータライン用バンプＢDは、それぞれ３つまたはその以上の列を形成して配列することができる。また、図１５に図示されたゲートライン用バンプＢG及びデータライン用バンプＢDの個数は、場合によって増加または減少することができる。
【００７７】
図１６は、図１５に図示された駆動ＩＣが実装された液晶パネルの周辺領域の部分拡大図である。
【００７８】
図１６に示すように、周辺領域ＳＡには図１５に図示された駆動ＩＣ１００が実装されるための実装領域ＭＡが具備される。
【００７９】
実装領域ＭＡ内には、複数個の入力ライン電極パッド３１０ａ、ゲートライン電極パッド３２０ａ及びデータライン電極パッド３３０ａが設けられる。
【００８０】
ゲートライン電極パッド３２０ａは、前記実装領域ＭＡ内で２つの列を形成して配列され、データライン電極パッド３３０ａもゲートライン電極パッド３２０ａのように実装領域ＭＡ内に２つの列を形成して配列される。
【００８１】
ゲートライン電極パッド３２０ａとデータライン電極パッド３３０ａは、図１５に図示された駆動ＩＣ１００のゲートライン用バンプＢG及びデータライン用バンプＢDとそれぞれ対応するので、ゲートライン用バンプＢG及びデータライン用バンプＢDと対応する位置に配列される。
【００８２】
即ち、２つの列のうち、第１列に沿って配列されるゲートライン電極パッド３２０ａは、所定間隔で離間して配置される。第２列に沿って配列されるゲートライン電極パッド３２０ａは、第１列に沿って配列されたゲートライン電極パッド３２０ａの離隔空間に対応して配列される。
【００８３】
データライン用電極パッド３３０ａは、ゲートライン用電極パッド３２０ａと同一の方式で配列される。
【００８４】
図１７は、図１５に図示された駆動ＩＣのバンプ配列による効果を説明するための部分拡大図である。
【００８５】
ここで、バンプは、図１５に図示されたゲートライン用バンプＢGまたはデータライン用バンプＢDである。
【００８６】
図１７を参照すると、バンプＢは２つの列に沿って配列され、バンプＢの配列方向と垂直方向に第２長さＬ2を有する。
【００８７】
また、同一の列に沿って配列されたバンプＢは、配列方向に所定間隔で離間して配置され、互いに異なる列に配列されたバンプＢは、配列方向と垂直方向に第４間隔Ｗ4だけ離間して配置されている。ここで、第４間隔Ｗ4は第２長さＬ2の半分以上である。
【００８８】
駆動ＩＣ１００は、図６及び図７に示されるように、ＡＣＦ７００を用いて液晶パネル２００に実装され、実装過程で駆動ＩＣ１００が圧着される時、ＡＣＦ７００は駆動ＩＣ１００の外側に流動する。
【００８９】
この際、ＡＣＦ７００は、第４間隔Ｗ4だけ十分に離間して配置されたバンプＢの間を流動し、ＡＣＦ７００を構成する導電ボール７１０及び導電ボール７１０と混合された樹脂７２０は、駆動ＩＣ１００の外側に円滑に通過することができる。このため、導電ボール７１０がバンプＢの周辺に積載されることを防止できる。
【００９０】
図１８及び図１９は、本発明の他の実施例に係る駆動ＩＣの多様なバンプ形状を説明するための部分拡大図である。
【００９１】
図１８及び図１９に示すように、バンプＢは２つの列に沿って配列され、バンプＢの配列方向と垂直方向に第２長さＬ2を有する。また、互いに隣接する列に配列されたバンプＢは、第４間隔Ｗ4だけ離間して配置されている。ここで、第４間隔Ｗ4は、第２長さＬ2の半分以上である。
【００９２】
図１８に示されるバンプＢは、入口Ｅｎを形成する角が面取りされているので、図１７に図示されたＡＣＦ７００が流動する時、ＡＣＦ７００の摩擦損失エネルギーを減少させることができる。
【００９３】
例えば、入口Ｅｎを構成するバンプの面取り角度（θ）が４５度であり、この面取り部分により広がっている入口Ｅｎの深さが隣接するバンプＢ間の間隔ｄの半分（ｄ／２）である時、図９を参照して説明したように、入口Ｅｎで発生するＡＣＦ７００の摩擦損失エネルギーが減少する。
【００９４】
図示していないが、バンプＢは、入口Ｅｎのみならず出口Ｅｘ側の角もＡＣＦ７００の摩擦損失エネルギーを減少させるために面取りすることができる。
【００９５】
一方、図１９に図示されたバンプＢは、入口Ｅｎを形成する角が円弧状に形成されているので、図１７に図示されたＡＣＦ７００が流動する時、ＡＣＦ７００の摩擦損失エネルギーを減少させることができる。
【００９６】
例えば、円弧状に形成された角の曲率半径ｒと同一の列に配列され隣接したバンプＢ間の間隔ｄとの関係がｒ／ｄ＝０.１を満足する場合、図１１に示されるように入口Ｅｎで発生するＡＣＦ７００の摩擦損失エネルギーが減少する。
【００９７】
図示していないが、バンプＢは入口Ｅｎのみならず出口Ｅｘ側の角もＡＣＦ７００の摩擦損失エネルギーを減少させるために円弧状に形成することができる。
【００９８】
また、図示していないが、バンプＢの形状は、入口及び出口で発生する摩擦損失エネルギーを減少させるために、図１８及び図１９に示される形状以外にバンプＢの上側から見る時、五角形、六角形、八角形などの多様な形状を有することができる。
【００９９】
図２０は、本発明の他の実施例に係る駆動ＩＣの底面図である。
【０１００】
図２０に示すように、駆動ＩＣ１００は、駆動ＩＣ１００の底面、即ち、液晶パネルと対向する面に多数個の電極端子（図示せず）を備え、電極端子上に入力ライン用バンプＢI、ゲートライン用バンプＢG、及びデータライン用バンプＢDが設けられている。
【０１０１】
駆動ＩＣ１００の底面は、第１エッジ１００ａと接する入力ライン用バンプ領域ＤIA、第２エッジ１００ｂ及び第３エッジ１００ｃと接するゲートライン用バンプ領域ＧOA及び第４エッジ１００ｄと接するデータライン用バンプ領域ＤOAで構成される。
【０１０２】
入力ライン用バンプＢIは、入力ライン用バンプ領域ＤIAで第１エッジ１００ａの延長方向に沿って２つの列を形成して配列され、入力ライン用バンプ領域ＤIAの全体に分散され配列される。
【０１０３】
ゲートライン用バンプＢGは、２つのゲートライン用バンプ領域ＧOAで第２エッジ１００ｂ及び第３エッジ１００ｃの延長方向に沿って３つの列を形成して配列され、ゲートライン用バンプ領域ＧOAの全体に分散され配列される。
【０１０４】
一方、データライン用バンプＢDは、データライン用バンプ領域ＤOAで第４エッジ１００ｄの延長方向に沿って４つの列を形成して配列され、データライン用バンプ領域ＤOAの全体に分散され配列される。
【０１０５】
このようにして、入力ライン用バンプＢI、ゲートライン用バンプＢG及びデータライン用バンプＢDを駆動ＩＣ１００の底面に分散させ配列することにより、多数の入力ライン用バンプＢI、ゲートライン用バンプＢG、及びデータライン用バンプＢDを互いに十分に離間させることができる。
【０１０６】
図２０に図示された入力ライン用バンプＢI、ゲートライン用バンプＢG及びデータライン用バンプＢDは、それぞれ２つ、３つ及び４つの列を形成して配列されているが、場合によっては列の個数は増加または減少することができる。
【０１０７】
図２１は、図２０に図示された駆動ＩＣが実装された液晶パネルの周辺領域を示した部分拡大図である。
【０１０８】
図２１に示すように、液晶パネル２００の周辺領域ＳＡには図２０に図示された駆動ＩＣ１００が実装されるための実装領域ＭＡが設けられる。
【０１０９】
実装領域ＭＡ内には、多数個の入力ライン電極パッド３１０ａ、ゲートライン電極パッド３２０ａ及びデータライン電極パッド３３０ａが設けられている。
【０１１０】
入力ライン電極パッド３１０ａ、ゲートライン電極パッド３２０ａ及びデータライン電極パッド３３０ａは、実装領域Ｍａ内でそれぞれ複数個の列を形成して配列される。
【０１１１】
入力ライン電極パッド３１０ａ、ゲートライン電極パッド３２０ａ及びデータライン電極パッド３３０ａは、それぞれ図１８及び図１９に示される駆動ＩＣ１００の入力ライン用バンプＢI、ゲートライン用バンプＢG及びデータライン用バンプＢDと対応するので、入力ライン用バンプＢI、ゲートライン用バンプＢG及びデータライン用バンプＢDと同一の方式で配列される。従って、以下では入力ライン電極パッド３１０ａ、ゲートライン電極パッド３２０ａ及びデータライン電極パッド３３０ａの配列についての説明を省略する。
【０１１２】
同様に、駆動ＩＣ１００は、ＡＣＦを用いて前記液晶パネルに実装され、駆動ＩＣ１００の入力ライン用バンプＢI、ゲートライン用バンプＢG及びデータライン用バンプＢDが十分に離間しているので、ＡＣＦは駆動ＩＣ１００の外側に円滑に流動することができる。
【０１１３】
従って、ＡＣＦの導電ボールが入力ライン用バンプＢI、ゲートライン用バンプＢG及びデータライン用バンプＢDの周辺に積載されることを防止して駆動ＩＣ１００と液晶パネル２００との電気的な信頼性を向上させることができる。
【産業上の利用可能性】
【０１１４】
本発明の実施例を参照して説明した駆動ＩＣ１００は、図１に図示されたような小型液晶表示装置のみならず、液晶パネルの縁にゲート及びデータ印刷回路基板領域を備えた液晶表示装置にも適用することができる。
【０１１５】
また、本発明の実施例に係る駆動ＩＣ１００を説明するために、ディスプレイ装置の一例として、液晶パネル２００を有する液晶表示装置１０００を図示して説明したが、本発明の実施例に係る駆動ＩＣ１００は、液晶表示装置１０００のみならず有機ＥＬを用いるディスプレイ装置またはＰＤＰ（Ｐｌａｓｍａ Ｄｉｓｐｌａｙ Ｐａｎｅｌ）を用いるディスプレイ装置にも適用することができる。
【０１１６】
以上、本発明の実施例によって詳細に説明したが、本発明はこれに限定されず、本発明が属する技術分野において通常の知識を有するものであれば本発明の思想と精神を離れることなく、本発明を修正または変更できる。
【符号の説明】
【０１１７】
１００      駆動ＩＣ
１００ａ    第１エッジ
１００ｂ    第２エッジ
１００ｃ    第３エッジ
１００ｄ    第４エッジ
２００      液晶パネル
３００      薄膜トランジスタ基板
３１０      入力ライン
３１０ａ    入力ライン電極パッド
３２０      ゲートライン電極パッド
３２０ａ    ゲートライン電極パッド
３３０ａ    データライン電極パッド
４００      カラーフィルター基板
６００      シーラント
７００      固定部材
７１０      導電ボール
７２０      樹脂
１０００    液晶表示装置
ＣＡ        検査領域
ＤＡ        画素領域
ＳＡ        周辺領域
ＭＡ        実装領域
Ｂ          バンプ
ＢI        入力ライン用バンプ
ＢD        データライン用バンプ
ＢG         ゲートライン用バンプ
ＤOA        データライン用バンプ領域
ＤIA        入力ライン用バンプ領域
ＥG        ゲートライン用電極端子
ＥI        入力ライン用電極端子
Ｅｎ      入口
Ｅｘ      出口
ＧOA        ゲートライン用バンプ領域
Ｌ1        第１長さ
Ｌ2        第２長さ
Ｗ1        第１間隔
Ｗ3        第３間隔
Ｗ4        第４間隔
ｄ        バンプ間の間隔
ｒ        曲率半径
【図１】
2011100126.tif 000003
【図２】
2011100126.tif 000004
【図３】
2011100126.tif 000005
【図４】
2011100126.tif 000006
【図５】
2011100126.tif 000007
【図６】
2011100126.tif 000008
【図７】
2011100126.tif 000009
【図８】
2011100126.tif 000010
【図９】
2011100126.tif 000011
【図１０】
2011100126.tif 000012
【図１１】
2011100126.tif 000013
【図１２】
2011100126.tif 000014
【図１３】
2011100126.tif 000015
【図１４】
2011100126.tif 000016
【図１５】
2011100126.tif 000017
【図１６】
2011100126.tif 000018
【図１７】
2011100126.tif 000019
【図１８】
2011100126.tif 000020
【図１９】
2011100126.tif 000021
【図２０】
2011100126.tif 000022
【図２１】
2011100126.tif 000023